(57)【要約】【課題】表示領域内の維持放電のための印加電圧マージンを拡大する。【解決手段】基板に導電性の第１電極および第２電極を間に放電ギャップを設けて配置して表示電極を構成するとともに表示電極を行方向に複数本配列して設けた前面板と、この前面板に間に放電空間を設けて対向配置されかつ表示電極と交差する列方向に複数本のデータ電極を形成して交差部分に放電セルを設けた背面板と、背面板に設けられかつ放電空間を放電セル毎に区画する隔壁とを備え、表示領域内の第１電極および第２電極に対して水平方向中央部と水平方向両端部とに放電セルが形成されたＰＤＰ２１において、第１電極および第２電極は、それぞれ放電セル毎に短冊状に複数分割して形成された透明電極部を有する透明電極と、複数の透明電極に電気的に接続するように形成した導電性のバス電極とにより構成しかつ第１電極および第２電極の短冊状の透明電極部の先端部間に放電ギャップを設ける。【選択図】図５
2013089292.tif 000002
【特許請求の範囲】
【請求項１】
前面基板に導電性の第１電極および第２電極を間に放電ギャップを設けて配置して表示電極を構成するとともに表示電極を行方向に複数本配列して設けた前面板と、前記前面板に間に放電空間を設けて対向配置されかつ前記表示電極と交差する列方向に複数本のデータ電極を形成して交差部分に放電セルを設けた背面板と、前記背面板に設けられかつ前記放電空間を放電セル毎に区画する隔壁とを備え、画像を表示する表示領域内で前記第１電極および前記第２電極に対して水平方向中央部と水平方向両端部とに前記放電セルが形成されたプラズマディスプレイパネルにおいて、
前記第１電極および前記第２電極は、それぞれ前記放電セル毎に短冊状に複数分割して形成された第１の透明電極および第２の透明電極とを有する透明電極と、前記第１の透明電極および前記第２の透明電極に電気的に接続するように形成した導電性のバス電極とにより構成し、かつ前記第１の透明電極の先端部と前記第２の透明電極の先端部との間に放電ギャップを設け、
前記表示領域の長辺方向における中央の中央部間の領域を表示中央領域とし、前記中央の中央部間以外の領域を表示両側領域とに分割した場合、
前記表示中央領域における放電ギャップが前記表示両側領域の放電ギャップよりも小さいことを特徴とするプラズマディスプレイパネル。
【請求項２】
前記表示中央領域における放電ギャップが前記表示両側領域の放電ギャップよりも２０％以上３０％以下小さいことを特徴とする請求項１に記載のプラズマディスプレイパネル。
【発明の詳細な説明】
【技術分野】
【０００１】
本発明は、表示デバイスとしてのプラズマディスプレイパネルに関するものである。
【背景技術】
【０００２】
プラズマディスプレイパネル（以下、ＰＤＰとする）は、大別して、駆動的にはＡＣ型とＤＣ型があり、放電形式では面放電型と対向放電型の２種類があるが、高精細化、大画面化および製造の簡便性から、現状では、ＰＤＰの主流は、３電極構造の面放電型のものである。
【０００３】
この面放電型のＰＤＰの構造は、少なくとも前面側が透明な一対の基板を基板間に放電空間が形成されるように対向配置するとともに、前記放電空間を複数に仕切るための隔壁を基板に配置し、かつ前記隔壁により仕切られた放電空間で放電が発生するように基板に電極群を配置するとともに放電により発光する赤色、緑色、青色に発光する蛍光体を設けて複数の放電セルを構成したもので、放電により発生する波長の短い真空紫外光によって蛍光体を励起し、赤色、緑色、青色の放電セルからそれぞれ赤色、緑色、青色の可視光を発することによりカラー表示を行っている。
【０００４】
このようなＰＤＰは、液晶パネルに比べて高速の表示が可能であり、視野角が広いこと、大型化が容易であること、自発光型であるため表示品質が高いことなどの理由から、フラットパネルディスプレイの中で最近特に注目を集めており、多くの人が集まる場所での表示装置や家庭で大画面の映像を楽しむための表示装置として各種の用途に使用されている。ところで、できるだけ消費電力を抑えた電気製品が望まれる今日では、ＰＤＰにおいても駆動時の消費電力を低くする期待が寄せられている。特に昨今の大画面化および高精細化の動向によって、開発されるＰＤＰの消費電力が増加傾向にあるため、省電力化を実現させる技術への要望が高くなっている。また、ＰＤＰにおいては安定した画像表示性能を得ることも基本的に望まれる。
【０００５】
このようなことから、ＰＤＰの安定した駆動と発光輝度を維持しながら消費電力を低減させること、すなわち発光効率の向上が望まれる。また発光効率を向上させるために、例えば蛍光体が紫外線を可視光に変換する際の変換効率を向上させる研究もなされているが、さらなる発光効率の向上が望まれている。
【０００６】
一方、ＰＤＰにおいては、画像表示の際の輝度を増加させるために、表示電極を幅広の帯状透明電極とこれに金属電極のバスラインを重ねた構成として電極面積を拡大させているが、これにより増大する放電電流を抑えるため、または透明電極をなくして工程数を削減するために、電極を複数の部分に分割し、開口部を設けた電極構造を用いるなどの工夫がなされている（例えば、特許文献１参照）。
【先行技術文献】
【特許文献】
【０００７】
【特許文献１】国際公開第２００２／０１７３４５号
【発明の概要】
【発明が解決しようとする課題】
【０００８】
しかし、表示領域内において維持放電が発生する放電開始電圧は面内一定でなく、特に、表示領域の中央に近づくにつれて放電開始電圧が大きい。その結果、面内で一番高い放電開始電圧以上の電圧を印加しなければ、維持放電が発生しない。
【０００９】
本発明はこのような現状に鑑みなされたもので、表示領域内の維持放電のための放電開始電圧をより小さくし、省電力で安定した良好なＰＤＰを提供することを目的とする。
【課題を解決するための手段】
【００１０】
本発明は、前面基板に導電性の第１電極および第２電極を間に放電ギャップを設けて配置して表示電極を構成するとともに表示電極を行方向に複数本配列して設けた前面板と、この前面板の間に放電空間を設けて対向配置されかつ表示電極と交差する列方向に複数本のデータ電極を形成して交差部分に放電セルを設けた背面板と、背面板に設けられかつ放電空間を放電セル毎に区画する隔壁とを備えたＰＤＰにおいて、画像を表示する表示領域と画像を表示しない非表示領域とに放電セルが形成され、第１電極および第２電極は、それぞれ放電セル毎に短冊状に複数分割して形成された第１の透明電極および第２の透明電極とを有する透明電極と、第１の透明電極および第２の透明電極に電気的に接続するように形成した導電性のバス電極とにより構成し、かつ、第１の透明電極の先端部と第２の透明電極の先端部との間に放電ギャップを設け、表示領域周辺部から表示中央領域にかけて表示中央領域の放電ギャップの最大の距離が表示領域周辺部の放電ギャップの最小距離よりも３０％以下であることを特徴とする。
【発明の効果】
【００１１】
本発明によれば、表示領域内の維持放電に必要な印加電圧がより小さくなり、省電力で安定した良好なＰＤＰを提供することが可能である。
【図面の簡単な説明】
【００１２】
【図１】本発明の実施形態１におけるＰＤＰを示す分解斜視図
【図２】本発明の実施形態１におけるＰＤＰの放電セル部分の構成を示す断面図
【図３】本発明の実施形態１におけるＰＤＰの電極配列図
【図４】本発明の実施の形態１におけるＰＤＰの表示中央領域と表示両側領域の配置関係を示す平面図
【図５】本発明の実施形態１におけるＰＤＰの表示電極を構成する走査電極および維持電極と隔壁との配置関係を示す平面図
【図６】本発明の実施の形態１におけるＰＤＰの維持放電のための駆動電圧マージンを示す図
【図７】本発明の実施の形態１におけるＰＤＰの表示電極を構成する走査電極および維持電極と隔壁との配置関係を示す平面図
【図８】本発明の実施の形態２におけるＰＤＰの表示電極を構成する走査電極および維持電極と隔壁との配置関係を示す平面図
【図９】本発明の実施の形態２におけるＰＤＰの表示電極を構成する走査電極および維持電極と隔壁との配置関係を示す平面図
【図１０】本発明の実施形態１におけるＰＤＰを用いたＰＤＰ装置の全体構成を示すブロック図
【図１１】本発明の実施形態１におけるＰＤＰの各電極に印加する駆動電圧波形を示す波形図
【発明を実施するための形態】
【００１３】
＜実施の形態１＞
以下、本発明の実施の形態１によるＰＤＰ２１について、図１〜図７を用いて説明する。しかし、本発明の実施の態様は実施の形態１に限定されるものではない。まず、本発明の実施の形態１によるＰＤＰ２１の全体構成について、図１〜図３を用いて説明する。
【００１４】
１、ＰＤＰ２１の構成
図１は本発明の実施の形態１によるＰＤＰ２１において、前面板１と背面板２とを分離した状態で示す分解斜視図、図２は前面板１と背面板２とを貼り合わせてＰＤＰ２１としたときの放電セル構造を示す断面図である。この図１、図２に示すように、ＰＤＰ２１は、ガラス製の前面板１と背面板２とを、その間に放電空間３を形成するように対向配置することにより構成されている。
【００１５】
前面板１は、ガラス製の前面基板４上に導電性の第１電極である走査電極５および第２電極である維持電極６を、間に放電ギャップＭＧを設けて互いに平行に配置して表示電極７を構成するとともに、その表示電極７を行方向に複数本配列して設け、そして走査電極５および維持電極６を覆うようにガラス材料からなる誘電体層８が形成され、その誘電体層８上にはＭｇＯからなる保護層９が形成されている。走査電極５および維持電極６は、それぞれＩＴＯなどの透明電極５ａ、６ａと、この透明電極５ａ、６ａをそれぞれに電気的に接続されるように形成されたＡｇなどの導電性金属からなる膜厚が数μｍ程度のバス電極５ｂ、６ｂとから構成されている。
【００１６】
また、背面板２は、ガラス製の背面基板１０上に、ガラス材料からなる絶縁体層１１で覆われかつ列方向にストライプ状に配列したＡｇからなる複数本のデータ電極１２が設けられ、そして絶縁体層１１上には、前面板１と背面板２との間の放電空間３を放電セル１５毎に区画するためのガラス材料からなる井桁状の隔壁１３が設けられている。また、絶縁体層１１の表面および隔壁１３の側面には、赤色（Ｒ）、緑色（Ｇ）、青色（Ｂ）の蛍光体層１４Ｒ、１４Ｇ、１４Ｂが設けられている。そして、走査電極５および維持電極６とデータ電極１２とが交差するように前面板１と背面板２とが対向配置され、前記走査電極５および維持電極６とデータ電極１２が交差する交差部分には、図３に示すように、放電セル１５が設けられている。
【００１７】
また、放電空間３には、放電ガスとして、例えばネオンとキセノンの混合ガスが封入されている。なお、ＰＤＰ２１の構造は上述したものに限られるわけではなく、例えばストライプ状の隔壁を備えたものであってもよい。ここで、図２に示すように、放電セル１５を形成する井桁形状の隔壁１３は、データ電極１２に平行に形成された縦隔壁１３ａと、この縦隔壁１３ａに直交するように形成した横隔壁１３ｂとから構成されている。また、この隔壁１３内に塗布して形成される蛍光体層１４Ｒ、１４Ｇ、１４Ｂは、縦隔壁１３ａに沿ってストライプ状に青色蛍光体層１４Ｂ、赤色蛍光体層１４Ｒ、緑色蛍光体層１４Ｇの順に配列して形成されている。
【００１８】
図３はこの図１、図２に示すＰＤＰ２１の電極配列図である。行方向に長いｎ本の走査電極Ｙ１、Ｙ２、Ｙ３・・・Ｙｎ（図１の５）およびｎ本の維持電極Ｘ１、Ｘ２、Ｘ３・・・Ｘｎ（図１の６）が配列され、列方向に長いｍ本のデータ電極Ａ１・・・Ａｍ（図１の１２）が配列されている。そして、１対の走査電極Ｙ１および維持電極Ｘ１と１つのデータ電極Ａ１とが交差した部分に放電セル１５が形成され、放電セル１５は放電空間内にｍ×ｎ個形成されている。また、前記走査電極Ｙ１および維持電極Ｘ１は、図３に示すように、走査電極Ｙ１−維持電極Ｘ１−維持電極Ｘ２−走査電極Ｙ２・・・・の配列で繰り返すパターンで、前面板１に形成されている。そしてこれらの電極のそれぞれは、前面板１、背面板２の画像表示領域外の周辺端部に設けられた接続端子それぞれに接続されている。
【００１９】
２、プラズマディスプレイ装置の構成
次に、上述したＰＤＰ２１を用いたプラズマディスプレイ装置（以下、ＰＤＰ装置と示す）の全体構成について説明する。図１０は、ＰＤＰ装置の全体構成を示すブロック図である。このＰＤＰ装置は、図１〜図３に示す構成のパネル２１、画像信号処理回路２２、データ電極駆動回路２３、走査電極駆動回路２４、維持電極駆動回路２５、タイミング発生回路２６および電源回路（図示せず）を備えている。また、データ電極駆動回路２３は、ＰＤＰ２１のデータ電極１２の一端に接続され、かつデータ電極１２に電圧を供給するための半導体素子からなる複数のデータドライバを有している。データ電極１２は、数本ずつのデータ電極１２で１ブロックとして複数のブロックに分割し、そのブロック単位で複数のデータドライバをＰＤＰ２１の下端部の電極引出部に接続して配置している。
【００２０】
図１０において、画像信号処理回路２２は、画像信号ｓｉｇをサブフィールド毎の画像データに変換する。データ電極駆動回路２３はサブフィールド毎の画像データを各データ電極Ａ１〜Ａｍに対応する信号に変換し、各データ電極Ａ１〜Ａｍを駆動する。タイミング発生回路２６は水平同期信号Ｈおよび垂直同期信号Ｖをもとにして各種のタイミング信号を発生し、各駆動回路ブロックに供給している。走査電極駆動回路２４はタイミング信号にもとづいて走査電極Ｙ１〜Ｙｎに駆動電圧波形を供給し、維持電極駆動回路２５はタイミング信号にもとづいて維持電極Ｘ１〜Ｘｎに駆動電圧波形を供給する。なお、維持電極側は、ＰＤＰ２１内、またはＰＤＰ２１外において共通に接続された後、その共通接続配線が維持電極駆動回路２５に接続されている。
【００２１】
３、ＰＤＰ２１の駆動について
次に、ＰＤＰ２１を駆動するための駆動電圧波形とその動作について図１１を用いて説明する。図１１はＰＤＰ２１の各電極に印加する駆動電圧波形を示す図である。本実施の形態によるＰＤＰ２１においては、１フィールドを複数のサブフィールドに分割し、それぞれのサブフィールドは初期化期間、書込み期間、維持期間を有している。
【００２２】
３−１、初期化期間
第１サブフィールドの初期化期間では、データ電極Ａ１〜Ａｍおよび維持電極Ｘ１〜Ｘｎを０（Ｖ）に保持し、走査電極Ｙ１〜Ｙｎに対して放電開始電圧以下となる電圧Ｖｉ１（Ｖ）から放電開始電圧を超える電圧Ｖｉ２（Ｖ）に向かって緩やかに上昇するランプ電圧を印加する。すると、すべての放電セル１５において１回目の微弱な初期化放電を起こし、走査電極Ｙ１〜Ｙｎ上に負の壁電圧が蓄えられるとともに維持電極Ｘ１〜Ｘｎ上およびデータ電極Ａ１〜Ａｍ上に正の壁電圧が蓄えられる。ここで、電極上の壁電圧とは電極を覆う誘電体層や蛍光体層上等に蓄積した壁電荷により生じる電圧を指す。その後、維持電極Ｘ１〜Ｘｎを正の電圧Ｖｈ（Ｖ）に保ち、走査電極Ｙ１〜Ｙｎに電圧Ｖｉ３（Ｖ）から電圧Ｖｉ４（Ｖ）に向かって緩やかに下降するランプ電圧を印加する。すると、すべての放電セル１５において２回目の微弱な初期化放電を起こし、走査電極Ｙ１〜Ｙｎ上と維持電極Ｘ１〜Ｘｎ上との間の壁電圧が弱められ、データ電極Ａ１〜Ａｍ上の壁電圧も書込み動作に適した値に調整される。
【００２３】
３−２、書込み期間
続く書込み期間では、走査電極Ｙ１〜Ｙｎを一旦Ｖｒ（Ｖ）に保持する。次に、１行目の走査電極Ｙ１に負の走査パルス電圧Ｖａ（Ｖ）を印加するとともに、データ電極Ａ１〜Ａｍのうち１行目に表示すべき放電セル１５のデータ電極Ａｋ（ｋ＝１〜ｍ）に正の書込みパルス電圧Ｖｄ（Ｖ）を印加する。このときデータ電極Ａｋと走査電極Ｙ１との交差部の電圧は、外部印加電圧（Ｖｄ−Ｖａ）（Ｖ）にデータ電極Ａｋ上の壁電圧と走査電極Ｙ１上の壁電圧とが加算されたものとなり、放電開始電圧を超える。そして、データ電極Ａｋと走査電極Ｙ１との間および維持電極Ｘ１と走査電極Ｙ１との間に書込み放電が起こり、この放電セル１５の走査電極Ｙ１上に正の壁電圧が蓄積され、維持電極Ｘ１上に負の壁電圧が蓄積され、データ電極Ａｋ上にも負の壁電圧が蓄積される。このようにして、１行目に表示すべき放電セル１５で書込み放電を起こして各電極上に壁電圧を蓄積する書込み動作が行われる。一方、書込みパルス電圧Ｖｄ（Ｖ）を印加しなかったデータ電極Ａ１〜Ａｍと走査電極Ｙ１との交差部の電圧は放電開始電圧を超えないので、書込み放電は発生しない。以上の書込み動作をｎ行目の放電セル１５に至るまで順次行い、書込み期間が終了する。
【００２４】
３−３、維持期間
続く維持期間では、走査電極Ｙ１〜Ｙｎには第１の電圧として正の維持パルス電圧Ｖｓ（Ｖ）を、維持電極Ｘ１〜Ｘｎには第２の電圧として接地電位、すなわち０（Ｖ）をそれぞれ印加する。このとき書込み放電を起こした放電セル１５においては、走査電極Ｙｉ（ｉ＝１〜ｎ）上と維持電極Ｘｉ（ｉ＝１〜ｎ）上との間の電圧は維持パルス電圧Ｖｓ（Ｖ）に走査電極Ｙｉ上の壁電圧と維持電極Ｘｉ上の壁電圧とが加算されたものとなり、放電開始電圧を超える。そして、走査電極Ｙｉと維持電極Ｘｉとの間に維持放電が起こり、このとき発生した紫外線により蛍光体層が発光する。そして走査電極Ｙｉ上に負の壁電圧が蓄積され、維持電極Ｘｉ上に正の壁電圧が蓄積される。このときデータ電極Ａｋ上にも正の壁電圧が蓄積される。書込み期間において書込み放電が起きなかった放電セル１５では、維持放電は発生せず、初期化期間の終了時における壁電圧が保持される。続いて、走査電極Ｙ１〜Ｙｎには第２の電圧である０（Ｖ）を、維持電極Ｘ１〜Ｘｎには第１の電圧である維持パルス電圧Ｖｓ（Ｖ）をそれぞれ印加する。すると、維持放電を起こした放電セル１５では、維持電極Ｘｉ上と走査電極Ｙｉ上との間の電圧が放電開始電圧を超えるので、再び維持電極Ｘｉと走査電極Ｙｉとの間に維持放電が起こり、維持電極Ｘｉ上に負の壁電圧が蓄積され走査電極Ｙｉ上に正の壁電圧が蓄積される。
【００２５】
３−４、第２のサブフィールド以降
以降同様に、走査電極Ｙ１〜Ｙｎと維持電極Ｘ１〜Ｘｎとに交互に輝度重みに応じた数の維持パルスを印加することにより、書込み期間において書込み放電を起こした放電セル１５で維持放電が継続して行われる。こうして維持期間における維持動作が終了する。続くサブフィールドにおける初期化期間、書込み期間、維持期間の動作も第１サブフィールドにおける動作とほぼ同様のため、説明を省略する。
【００２６】
４、ＰＤＰ２１の製造方法
４−１、前面板の製造方法
フォトリソグラフィ法によって、前面基板４上に、走査電極５および維持電極６が形成される。走査電極５は、インジウム錫酸化物（ＩＴＯ）などの透明電極５ａと、透明電極５ａに積層された銀（Ａｇ）などからなるバス電極５ｂとから構成されている。維持電極６は、ＩＴＯなどの透明電極６ａと、透明電極６ａに積層されたＡｇなどからなるバス電極６ｂとから構成されている。バス電極５ｂ、６ｂの材料には、銀（Ａｇ）と銀を結着させるためのガラスフリットと感光性樹脂と溶剤などを含む電極ペーストが用いられる。まず、スクリーン印刷法などによって、電極ペーストが、透明電極５ａ、６ａが形成された前面基板４に塗布される。次に、乾燥炉によって、電極ペースト中の溶剤が除去される。次に、所定のパターンのフォトマスクを介して、電極ペーストが露光される。次に、電極ペーストが現像され、バス電極パターンが形成される。最後に、焼成炉によって、バス電極パターンが所定の温度で焼成される。つまり、電極パターン中の感光性樹脂が除去される。また、電極パターン中のガラスフリットが溶融する。その後、室温まで冷却することにより、溶融していたガラスフリットが、ガラス化する。以上の工程によって、バス電極５ｂ、６ｂが形成される。ここで、電極ペーストをスクリーン印刷する方法以外にも、スパッタ法、蒸着法などを用いることができる。
【００２７】
次に、誘電体層８が形成される。誘電体層８の材料には、誘電体ガラスフリットと樹脂と溶剤などを含む誘電体ペーストが用いられる。まずダイコート法などによって、誘電体ペーストが所定の厚みで走査電極５、維持電極６を覆うように前面基板４上に塗布される。次に、乾燥炉によって、誘電体ペースト中の溶剤が除去される。最後に、焼成炉によって、誘電体ペーストが所定の温度で焼成される。つまり、誘電体ペースト中の樹脂が除去される。また、誘電体ガラスフリットが溶融する。その後、室温まで冷却することにより、溶融していた誘電体ガラスフリットが、ガラス化する。以上の工程によって、誘電体層８が形成される。ここで、誘電体ペーストをダイコートする方法以外にも、スクリーン印刷法、スピンコート法などを用いることができる。また、誘電体ペーストを用いずに、ＣＶＤ（Ｃｈｅｍｉｃａｌ  Ｖａｐｏｒ  Ｄｅｐｏｓｉｔｉｏｎ）法などによって、誘電体層８となる膜を形成することもできる。次に、誘電体層８上に保護層９が形成される。以上の工程により前面基板４上に走査電極５、維持電極６、誘電体層８および保護層９を有する前面板１が完成する。
【００２８】
４−２、背面板２の製造方法
フォトリソグラフィ法によって、背面基板１０上に、データ電極１２が形成される。データ電極１２の材料には、導電性を確保するための銀（Ａｇ）と銀を結着させるためのガラスフリットと感光性樹脂と溶剤などを含むデータ電極ペーストが用いられる。まず、スクリーン印刷法などによって、データ電極ペーストが所定の厚みで背面基板１０上に塗布される。次に、乾燥炉によって、データ電極ペースト中の溶剤が除去される。次に、所定のパターンのフォトマスクを介して、データ電極ペーストが露光される。次に、データ電極ペーストが現像され、データ電極パターンが形成される。最後に、焼成炉によって、データ電極パターンが所定の温度で焼成される。つまり、データ電極パターン中の感光性樹脂が除去される。また、データ電極パターン中のガラスフリットが溶融する。その後、室温まで冷却することにより、溶融していたガラスフリットが、ガラス化する。以上の工程によって、データ電極１２が形成される。ここで、データ電極ペーストをスクリーン印刷する方法以外にも、スパッタ法、蒸着法などを用いることができる。
【００２９】
次に、絶縁体層１１が形成される。絶縁体層１１の材料には、絶縁体ガラスフリットと樹脂と溶剤などを含む絶縁体ペーストが用いられる。まず、スクリーン印刷法などによって、絶縁体ペーストが所定の厚みでデータ電極１２が形成された背面基板１０上にデータ電極１２を覆うように塗布される。次に、乾燥炉によって、絶縁体ペースト中の溶剤が除去される。最後に、焼成炉によって、絶縁体ペーストが所定の温度で焼成される。つまり、絶縁体ペースト中の樹脂が除去される。また、絶縁体ガラスフリットが溶融するその後、室温まで冷却することにより、溶融していた絶縁体ガラスフリットが、ガラス化する。以上の工程によって、絶縁体層１１が形成される。ここで、絶縁体ペーストをスクリーン印刷する方法以外にも、ダイコート法、スピンコート法などを用いることができる。また、絶縁体ペーストを用いずに、ＣＶＤ（Ｃｈｅｍｉｃａｌ  Ｖａｐｏｒ  Ｄｅｐｏｓｉｔｉｏｎ）法などによって、絶縁体層１１となる膜を形成することもできる。
【００３０】
次に、フォトリソグラフィ法によって、隔壁１３が形成される。隔壁１３の材料には、フィラーと、フィラーを結着させるためのガラスフリットと、感光性樹脂と、溶剤などを含む隔壁ペーストが用いられる。まず、ダイコート法などによって、隔壁ペーストが所定の厚みで絶縁体層１１上に塗布される。次に、乾燥炉によって、隔壁ペースト中の溶剤が除去される。次に、所定のパターンのフォトマスクを介して、隔壁ペーストが露光される。次に、隔壁ペーストが現像され、隔壁パターンが形成される。最後に、焼成炉によって、隔壁パターンが所定の温度で焼成される。つまり、隔壁パターン中の感光性樹脂が除去される。また、隔壁パターン中のガラスフリットが溶融する。その後、室温まで冷却することにより、溶融していたガラスフリットが、ガラス化する。以上の工程によって、隔壁１３が形成される。ここで、フォトリソグラフィ法以外にも、サンドブラスト法などを用いることができる。
【００３１】
次に、蛍光体層１４が形成される。蛍光体層１４の材料には、蛍光体粒子とバインダと溶剤などとを含む蛍光体ペーストが用いられる。まず、ディスペンス法などによって、蛍光体ペーストが所定の厚みで隣接する複数の隔壁１３間の絶縁体層１１上および隔壁１３の側面に塗布される。次に、乾燥炉によって、蛍光体ペースト中の溶剤が除去される。最後に、焼成炉によって、蛍光体ペーストが所定の温度で焼成される。つまり、蛍光体ペースト中の樹脂が除去される。以上の工程によって、蛍光体層１４が形成される。ここで、ディスペンス法以外にも、スクリーン印刷法などを用いることができる。
【００３２】
以上の工程により、背面基板１０上に、データ電極１２、絶縁体層１１、隔壁１３および蛍光体層１４を有する背面板２が完成する。
【００３３】
４−３、前面板１と背面板２との組立方法
まず、ディスペンス法などによって、背面板２の周囲に封着ペーストが塗布される。封着ペーストは、ビーズと低融点ガラス材料とバインダと溶剤などを含んでいてもよい。塗布された封着ペーストは、封着ペースト層（図示せず）を形成する。次に乾燥炉によって、封着ペースト層中の溶剤が除去される。その後、封着ペースト層は、約３５０℃の温度で仮焼成される。仮焼成によって、封着ペースト層中の樹脂成分などが除去される。次に、表示電極７とデータ電極１２とが直交するように、前面板１と背面板２とが対向配置される。
【００３４】
さらに、前面板１と背面板２の周縁部が、クリップなどにより押圧した状態で保持される。この状態で、所定の温度で焼成することにより、低融点ガラス材料が溶融する。その後、室温まで冷却することにより、溶融していた低融点ガラス材料がガラス化する。これにより、前面板１と背面板２とが気密封着される。最後に、放電空間にＮｅ、Ｘｅなどを含む放電ガスが封入されることによりＰＤＰ２１が完成する。
【００３５】
ＰＤＰ２１は、維持放電により画像を表示する表示領域と画像を表示しない非表示領域とに分類することができる。表示領域において、本発明の実施形態では、表示中央領域Ｃと表示両側領域Ｄとを有する。表示中央領域Ｃと表示両側領域Ｄについて図４を用いて説明する。本実施の形態では、ＰＤＰ２１の表示領域における長辺方向に座標をとると、表示中央領域Ｃは座標０−座標Ｂ間の中心である座標（１−√１／２）／２から座標Ｂ−座標Ａ間の中心である座標（１＋√１／２）／２までの間の領域である。そして、表示両側領域Ｄとは、表示領域内におけるＰＤＰ２１の長辺方向の端部付近の領域である。具体的には、図４に示すように座標０−座標（１−√１／２）／２間の領域と座標（１＋√１／２）／２−座標Ａ間の領域とからなる表示領域である。
【００３６】
５、表示電極について
次に、本発明のＰＤＰ２１の表示電極７の構成について、さらに詳細に説明する。図５は、表示電極７を構成する走査電極５および維持電極６について説明するためにさらに詳細に示した図である。また、図５は、前面基板４上から透明電極５ａ、６ａとバス電極５ｂ、６ｂを見たときの図である。
【００３７】
図５に示すように、表示電極７は走査電極５および維持電極６で構成され、走査電極５および維持電極６は、それぞれ透明電極５ａ、６ａと透明電極５ａ、６ａに電気的に接続するように形成した導電性のバス電極５ｂ、６ｂとにより構成される。そして、透明電極５ａは、ストライプ状に形成した透明電極（図示せず）と、放電セル１５毎に短冊状に複数に分割して形成された第１の透明電極１７とが一体となった形状で構成されている。さらに、第１の透明電極１７は隔壁１３で囲まれた放電空間セル内において複数に分割され、放電ギャップＭＧ側に突出した形状となっている。また、同様に、透明電極６ａはストライプ状に形成した透明電極（図示せず）とそれぞれ放電セル１５毎に短冊状に複数に分割して形成された第２の透明電極１６とが一体となった形状で構成されている。さらに、第２の透明電極１６は隔壁１３で囲まれた放電空間セル内において複数に分割され、放電ギャップＭＧ側に突出した形状となっている。そして、放電セル１５において走査電極５の短冊状の第１の透明電極１７の先端部と維持電極６の短冊状の第２の透明電極１６の先端部との間に放電ギャップＭＧが形成される。
【００３８】
ここで、本発明者らが行った実験の結果を説明する。なお、本実験では、２つのパラメータを変更したＰＤＰ２１が作製された。１つ目は、第１の透明電極１７および第２の透明電極１６の幅（図中および以下「Ｌ幅」と示される。）である。２つ目は、隣り合う透明電極５ａ、６ａ間の幅（図中および以下「Ｓ幅」と示される。）である。Ｌ幅とＳ幅との変更に応じて、透明電極５ａ、６ａの幅と隣り合う透明電極５ａ、６ａ間の幅とを合計した１ペアの幅（以下「Ｐ幅」と示されるが図示せず。）が変更される。また、Ｐ幅が変更されることで、１つの放電セル１５のピッチ内に設けられる上記ペアの数（以下「Ｐ数」と示される。）は変更される。
【００３９】
図５に示す電極構造において、Ｌ幅１４μｍの短冊状の第１の透明電極１７および第２の透明電極１６をＳ幅１５μｍの間隔で複数本に分割して形成した。この場合、分割せずにベタパターンで透明電極を形成した場合に比べ、発光効率を約１０％向上させることができた。また、Ｌ幅２０μｍの短冊状の第１の透明電極１７および第２の透明電極１６をＳ幅２０μｍの間隔で複数本に分割して形成した。この場合も、分割せずにベタパターンで透明電極を形成した場合に比べ、発光効率を約１０％向上させることができた。さらに、Ｌ幅１４μｍの短冊状の第１の透明電極１７および第２の透明電極１６を、Ｓ幅１５μｍ以上の間隔になるように広げたサンプルを作成し、ベタパターンの透明電極を形成した場合と発光効率を比べた場合、表示電極７を覆う誘電体層８の膜厚よりも広い間隔とすることにより、より発光効率を向上させる効果が得られることがわかった。
【００４０】
すなわち、第１の透明電極１７および第２の透明電極１６を細幅の短冊状とし、表示電極７を覆う誘電体層８の膜厚より広い間隔で放電セル１５内に配置することにより、無効電力を低減させ、発光効率を向上させることができる。
【００４１】
なお、図示していないが、表示電極７を構成する走査電極５および維持電極６と隔壁１３との配置関係の他の例として短冊状の透明電極５ａ、６ａにおいて、第１の透明電極１７が第２の透明電極１６とその隣接する第２の透明電極１６との間に位置するように互い違いに対向させて配置したものであってもよい。
【００４２】
次に、維持放電のための駆動電圧マージンについて、図６（ａ）、図６（ｂ）を用いて説明する。図６（ａ）、図６（ｂ）に示すように、横軸は表示領域の長辺方向の座標が表され、図４に示されている座標に対応している。そして、縦軸は横軸の各々の座標における第１電極と第２電極間で発生する維持放電の維持放電開始電圧と、第１電極と第２電極間で誤放電が発生する誤放電発生電圧をプロットしている。
【００４３】
そして、表示領域内の放電開始電圧の最大値を下限印加電圧Ｖ１とし、誤放電発生電圧の最小値を上限印加電圧Ｖ２とする。なお、下限印加電圧Ｖ１とは、表示領域における全ての放電セル１５において放電が可能となる最低の放電開始電圧を意味し、上限印加電圧Ｖ２とは、表示領域における少なくとも１つの放電セル１５が誤放電を発生し得る放電開始電圧を意味する。したがって、電位差Ｖ２−Ｖ１が誤放電なく維持放電を発生させるために印加できる駆動電圧の駆動電圧マージンとなる。
【００４４】
なお、本実施の形態では、第１電極を走査電極５、第２電極を維持電極６としている。
【００４５】
図６（ａ）に示されるように、表示両側領域Ｄである座標Ａおよび座標０において維持放電開始電圧および誤放電発生電圧は最も小さい。そして、表示中央領域Ｃである座標Ｂにおいて維持放電開始電圧および誤放電発生電圧は最も大きい。つまり、表示中央領域Ｃの維持放電開始電圧および誤放電発生電圧は、表示両側領域Ｄよりも大きい。
【００４６】
ＰＤＰ２１は、通常、走査電極５および維持電極６で放電電流による電圧降下が発生すると考えられる。この電圧降下は、表示中央領域Ｃに近づくほど大きい。
【００４７】
したがって、電位差Ｖ２−Ｖ１が大きいほど、駆動電圧マージンが拡大され、ＰＤＰの量産やライフによる電圧特性の変動を抑制することが可能となり、性能が安定したＰＤＰを提供することが可能となる。
【００４８】
次に、駆動電圧マージンの拡大が可能となる本発明の実施形態１について図７（ａ）、（ｂ）を用いて説明する。図７（ａ）は、表示中央領域Ｃにおける放電ギャップＭＧ１を示し、図７（ｂ）は、表示両側領域Ｄにおける放電ギャップＭＧ２を示す。図７（ａ）、（ｂ）に示すように、表示中央領域Ｃの透明電極５ａ、６ａの放電ギャップＭＧ１は、表示両側領域Ｄの放電ギャップＭＧ２の距離より小さく、表示中央領域Ｃにおける放電ギャップＭＧ１は、相対的に電界強度が強い。これにより、表示中央領域Ｃの維持放電開始電圧Ｖｆを意図的に下げることが可能となる。つまり、図６（ｂ）に示すように、下限印加電圧Ｖ１が降下し、下限印加電圧Ｖ１’となる。その結果、図６（ｂ）に示すように、下限印加電圧Ｖ１’から上限印加電圧Ｖ２までの幅がより大きくなり、維持放電のための駆動電圧マージンを拡大させることが可能となる。
【００４９】
図６（ｂ）について具体的に説明する。本実施の形態では、座標（１−√１／２）／２と座標（１＋√１／２）／２を境に表示中央領域Ｃと表示両側領域Ｄとに分割されている。つまり、表示両側領域Ｄを座標０以上座標（１−√１／２）／２以下の領域、および、座標（１＋√１／２）／２以上座標Ａ以下の領域とし、表示中央領域Ｃを座標（１−√１／２）／２以上座標（１＋√１／２）／２以下の領域とする。本実施の形態において、表示中央領域ＣのＭＧ１の距離の方が表示両側領域ＤのＭＧ２の距離よりも３０％小さい。例えば、４２型のＰＤＰにおいて、表示両側領域ＤはＭＧ２の距離が約８０μｍであり、表示中央領域ＣはＭＧ１の距離が約５５μｍである。これにより、維持放電開始電圧が６Ｖ小さくなるため、維持放電のための駆動電圧マージンが６Ｖ拡大させることができる。
【００５０】
なお、表示中央領域ＣのＭＧ１の距離は表示両側領域ＤのＭＧ２の距離よりも１０％以上３０％以下小さいことが好ましい。３０％を超えた場合、上限印加電圧がより小さくなり、駆動電圧マージンがより小さくなる。その結果、誤放電が発生しやすい恐れがある。一方、表示中央領域ＣのＭＧ１の距離は表示両側領域ＤのＭＧ２の距離よりも１０％未満である場合、下限印加電圧が十分に小さくならないため駆動電圧マージンが拡大しない。
【００５１】
なお、図７においては、放電ギャップＭＧの距離を表示中央領域Ｃと表示両側領域Ｄとの２段階で変えたが、表示両側領域Ｄから表示中央領域Ｃに近くなるにつれて、放電ギャップの距離を３段階以上に段階的に小さくするようにしてもよい。他の実施の形態においても同様である。放電ギャップの距離を３段階以上に段階的に小さくする場合、表示中央領域Ｃと表示両側領域Ｄの境目となる座標は変化する場合がある。具体的には、座標（１−√１／２）／２は座標０に近づくような位置になり、座標（１＋√１／２）／２は座標Ａに近づくような位置となる。
【００５２】
また、透明電極５ａあるいは６ａのいずれかの長さを調整した場合、透明電極５ａ、６ａの長さを均等に調整した場合と比較して駆動電圧マージンが同等に拡大される。しかし、透明電極５ａ、６ａを均等に調整しないと、放電ギャップＭＧの長さ中心が放電セル１５の中心からずれ、電極面積が維持電極６と走査電極５とで異なるため、放電や発光が片側の電極に偏る。その点を踏まえると、透明電極５ａ、６ａは均等に長さを調整した方が好ましい。
【００５３】
＜実施の形態２＞
次に実施の形態２について図８（ａ）、（ｂ）を用いて説明する。実施の形態１と同様の内容は省略する。図８（ａ）、（ｂ）は図７（ａ）、（ｂ）の別の実施の形態を示している。図８（ａ）に示すように、表示中央領域Ｃの第１の透明電極１７および第２の透明電極１６の幅であるＳ幅（以下、Ｓ１と示すが図示せず）が図８（ｂ）に示すように、表示両側領域ＤのＳ幅（以下、Ｓ２と示すが図示せず）よりも小さい。
【００５４】
本実施の形態では、Ｓ１はＳ２よりも２０％小さい。例えば、４２型のＰＤＰでは、１つの放電セル１５あたりに５ａ、６ａが各４本存在する場合、表示両側領域ＤにおけるＳ２の距離が約２４μｍであり、表示中央領域ＣにおけるＳ１の距離は約１４．０μｍである。これにより、表示中央領域ＣのＭＧ１において電界強度が強まり、放電開始電圧Ｖｆがより小さくなり、上限印加電圧Ｖ１が６Ｖ降下する。その結果、維持放電のための駆動電圧マージンを６Ｖ拡大することができる。
【００５５】
なお、Ｓ１はＳ２よりも１５％以上４０％以下小さいことが好ましい。４０％を超えると、誤放電が発生する可能性があるためである。
【００５６】
ところで、Ｓ幅を制御するために本実施の形態ではＬ幅とＰ数を規定している。例えば、Ｌ幅を規定する場合、図８（ａ）、（ｂ）に示すように、表示中央領域Ｃの第１の透明電極１７および第２の透明電極１６のＬ幅（Ｌ１）が表示両側領域ＤのＬ幅（Ｌ２）よりも大きい。例えば、４２型のＰＤＰ２１では、表示中央領域ＣにおけるＬ１は約２５μｍであり、表示両側領域ＤにおけるＬ２は約１６μｍである。本実施の形態では、Ｌ１はＬ２よりも５０％大きい。これにより、表示中央領域Ｃの放電開始電圧Ｖｆがより小さくなり、維持放電のための駆動電圧マージンを６Ｖ拡大することができる。
【００５７】
なお、Ｌ１はＬ２よりも５０％以上大きいことが好ましい。５０％未満の場合、誤放電が発生する可能性があるためである。
【００５８】
また、Ｐ数を規定してもよい。具体的には、図９（ａ）、（ｂ）に示すように、表示中央領域Ｃの１セルの放電空間内に占める短冊状の第１の透明電極１７および第２の透明電極１６のＰ数が、表示両側領域ＤのＰ数より多い。本実施の形態では、１セルの放電空間内に占める短冊状の第１の透明電極１７および第２の透明電極１６のＰ数が表示両側領域内のＰ数よりも２５％多い。これにより、表示中央領域Ｃの放電開始電圧Ｖｆがより小さくなり、維持放電のための駆動電圧マージンが６Ｖ拡大できる。
【００５９】
なお、表示中央領域Ｃの１セルの放電空間内に占めるＰ数は表示両側領域ＤのＰ数よりも２５％以上大きいことが好ましい。２５％未満の場合、誤放電が発生する可能性があるためである。
【００６０】
＜他の実施の形態＞
また、図７〜図９では、非表示領域における透明電極５ａ、６ａの構造が短冊状ではなく、ストライプ状の構造をしているが、表示領域同様に短冊状であってもよい。この場合、非表示領域における放電ギャップに相当する距離は、表示領域における放電ギャップＭＧの距離よりも大きい。それは、非表示領域における誤放電を防止するためである。
【００６１】
＜まとめ＞
以上により、前面基板に導電性の第１電極および第２電極を間に放電ギャップを設けて配置して表示電極を構成するとともに表示電極を行方向に複数本配列して設けた前面板と、この前面板に間に放電空間を設けて対向配置されかつ表示電極と交差する列方向に複数本のデータ電極を形成して交差部分に放電セル１５を設けた背面板と、背面板に設けられかつ放電空間を放電セル１５毎に区画する隔壁とを備え、画像を表示する表示領域内で第１電極および第２電極に対して水平方向中央部と水平方向両端部とに放電セル１５が形成されたプラズマディスプレイパネルにおいて、第１電極および第２電極は、それぞれ放電セル１５毎に短冊状に複数分割して形成された第１の透明電極１７および第２の透明電極１６とを有する透明電極と、第１の透明電極１７および第２の透明電極１６に電気的に接続するように形成した導電性のバス電極とにより構成し、かつ第１電極および第２電極の第１の透明電極１７の先端部と第２の透明電極１６の先端部との間に放電ギャップを設け、表示中央領域における放電ギャップが表示両側領域の放電ギャップよりも小さいことを特徴とする。これにより、表示領域内における維持放電のための印加電圧マージンを拡大することが可能となる。
【産業上の利用可能性】
【００６２】
以上のように本発明は、ＰＤＰ２１の発光効率向上を実現する上で有用な発明である。
【符号の説明】
【００６３】
１  前面板
２  背面板
３  放電空間
４  前面基板
５  走査電極
６  維持電極
５ａ、６ａ  透明電極
５ｂ、６ｂ  バス電極
７  表示電極
８  誘電体層
９  保護層
１０  背面基板
１１  絶縁体層
１２  データ電極
１３  隔壁
１４Ｒ、１４Ｇ、１４Ｂ  蛍光体層
１５  放電セル
１６  第２の透明電極
１７  第１の透明電極
２１  ＰＤＰ
２２  画像信号処理回路
２３  データ電極駆動回路
２４  走査電極駆動回路
２５  維持電極駆動回路
２６  タイミング発生回路
【図１】
2013089292.tif 000003
【図２】
2013089292.tif 000004
【図３】
2013089292.tif 000005
【図４】
2013089292.tif 000006
【図５】
2013089292.tif 000007
【図６】
2013089292.tif 000008
【図７】
2013089292.tif 000009
【図８】
2013089292.tif 000010
【図９】
2013089292.tif 000011
【図１０】
2013089292.tif 000012
【図１１】
2013089292.tif 000013